(57)【要約】  本発明は雌型電気端子に関する。その端子は、金属の細長い板片から切り抜かれて折り曲げられ、かつ前記ハウジングの長手軸（Ａ）方向に沿って伸び、相補的接触ピン（４）と接触するための領域（３）が設けられた少なくとも１つの接触プレート（２）とを含んだハウジング備えている。本発明によると、前記接触プレートは、前記ハウジングに接続するための接続部（５）と自由端とを含んでいる。本発明は、折り曲げられる前に接触プレートの伸びた部分から切り抜かれたばね要素（７）も含み、それは折り曲げられた後でカウンタープレートを形成する。前記ばね要素（７）と前記プレート（２）とは、例えば、前記接続部（５）の片側に設けられている。
2008530744.tif 000002
【特許請求の範囲】
【請求項１】
金属シート（１）から切り抜かれて折り曲げられたハウジングを備え、かつ前記ハウジングの長手軸（Ａ）方向に沿って伸び、相補的接触ピン（４）と接触するための領域（３）が設けられた少なくとも１つの接触プレート（２）とを含んだ雌型電気端子であって、
前記接触プレートは、前記ハウジングに接続するための接続部（５）と自由端（６）とを含み、折り曲げられる前に前記接触プレートが伸びている縦方向において切り抜かれ、かつ折り曲げられた後でカウンタープレートを形成しているばね要素（７）を備えた雌型電気端子において、
前記ばね要素および前記プレートの自由端（６，１０）は、折り曲げられた後に、前記ハウジングの後部から前部へと伸びていることを特徴とする雌型電気端子。
【請求項２】
前記ばね要素（７）と前記プレート（２）とは、前記接続部（５）の片側に形成されていることをさらなる特徴とする、請求項１に記載の雌型電気端子。
【請求項３】
前記ばね要素は、１８０°折り曲げられることによって前記プレート上に支持されていることをさらなる特徴とする、請求項１または２に記載の雌型電気端子。
【請求項４】
前記接続部（５）は、前記ばね要素が前記プレート上に配された後に、ハウジングの壁（１４）に向けられて横に折り曲げられていることをさらなる特徴とする、請求項１〜３のいずれか一項に記載の雌型電気端子。
【請求項５】
突起（１２）に面した単一の前記プレート（２）を備え、前記突起（１２）は前記軸（Ａ）に関して前記プレート（２）に対向して、前記ハウジングの壁（１３）上に配置されていることをさらなる特徴とする、請求項１〜４のいずれか一項に記載の雌型電気端子。
【請求項６】
前記ハウジングは、下壁（１３）の周りに前記金属シート（１）を折り曲げて作製され、これにより、前記プレートを支持している上壁（１４）と、前記下壁（１３）の一側の第１の横壁（１５）と、前記下壁（１３）の他側の第２の横壁（１６）の少なくとも一部とを形成しており、前記プレートと前記カウンタープレートとは、前記金属シートの外側端部が切り抜かれて、折り曲げられた後ハウジング内に完全に収容されていることをさらなる特徴とする、請求項５に記載の雌型電気端子。
【請求項７】
前記ばね要素（７）は前記ハウジングの壁（１４）と前記プレート（２）との間で拘束されており、ハウジングに接続するための部分の近傍において、前記ハウジングの支持壁（２）の前記壁（１４）を支持するためのボス部（２０）を備え、該ボス部は、補強部を形成していることをさらなる特徴とする、請求項１〜６のいずれか一項に記載の雌型電気端子。
【請求項８】
前記ばね要素（７）は、前記プレートの曲率半径よりも小さい曲率半径に沿って湾曲されており、少なくとも前記相補的接触ピンが挿入されていない状態において、前記ばね要素の自由端（１０）のみが前記プレート（２）に対向して留まっていることをさらなる特徴とする、請求項１〜７のいずれか一項に記載の雌型電気端子。
【請求項９】
前記プレートの前記接触領域（３）は湾曲した接触領域を備え、前記ばね要素（７）の前記自由端（１０）は、前記相補的接触ピン（４）の挿入方向（Ｄ）に関して、前記接触領域の後部において前記プレート（２）に接触していることをさらなる特徴とする、請求項１〜８のいずれか一項に記載の雌型電気端子。
【請求項１０】
前記ばねおよび前記プレート（５，８）を接続するための前記端部は、前記ばねおよび前記プレートの後端であることをさらなる特徴とする、請求項１〜９のいずれか一項に記載の雌型電気端子。
【請求項１１】
前記ハウジングの支持壁（２）の前記壁（１４）の前部から伸びて、前記ハウジングの内部に向かって折り返されたフラップ（１１）を備え、該フラップは、前記プレートの自由端（６）が前記壁（１４）に向かうようにプレートの自由端６上に接触され、前記ばね要素（７）によって前記プレート（２）にかかる力に対向していることをさらなる特徴とする、請求項１〜１０のいずれか一項に記載の雌型電気端子。
【発明の詳細な説明】
【技術分野】
【０００１】
本発明は、ばね接触プレートを備えた雌型電気端子に関する。
【背景技術】
【０００２】
雌型電気端子は、四角形状の領域のハウジングを含み、金属の細長い板片を切り抜いて折り曲げることによって形成される内部接触プレートが設けられ、相補的接触ピンと協働することによって電気的接触を形成する。その雌型電気端子は、接触プレートに加えてばね要素を頻繁に備えており、前記雌型端子と前記接触ピンとが接続されている間、十分な接触圧を保証することを可能にしている。
【０００３】
このばね要素は、接触プレートの一部分に接触しているが、ハウジングを形成するための金属シートから切り抜かれて折り曲げられるか、または付け足されてハウジング内に挿入されるかのどちらかである。
【０００４】
付加的なばね要素を備えた内部ばね接触プレートが設けられたハウジングを有する雌型端子を製造する一例は、特許文献１に開示されている。
【０００５】
この文献に記載された１つの実施形態によると、金属の細長い板片から事前に切り抜かれ、ハウジングの後部から前部に折り曲げられたばね接触プレートは、ばね要素によって圧縮応力を与えられ、そのばね要素自身も金属シートから切り抜かれて、ハウジングの前部からハウジングの後部に向かって折り曲げられている。
【０００６】
この文献に記載された実施形態の１つの変形例によると、後部から前部に折り曲げられたばね要素が、接触ピンが挿入されるときに、後部から前部に折り曲げられた接触プレート上に留まっている。
【特許文献１】特開平９−２３２０２１
【発明の開示】
【発明が解決しようとする課題】
【０００７】
しかしながら、このばね要素は相補的接触ピンがない状態において、接触プレートから分離されている。
【０００８】
この実施形態によると、ハウジングの前部から折り曲げられた構造は、相補的接触ピンの案内の間に、プレートを保護している。しかしながら、この構造は、プレートの自由端と接触していない。
【課題を解決するための手段】
【０００９】
本発明は、ばねプレートの接触を改良することを狙いとしており、特に、ばねプレートへの圧縮応力の付加によって十分な接触圧力を補償することによって改良する。一方で、端子の外形寸法を小さいまま維持し、必要な折り曲げ操作の回数を制限している。
【００１０】
このことを行うために、本発明は主に雌型電気端子に関するものである。その端子は、金属シートから切り抜かれて折り曲げられ、かつ前記ハウジングの長手軸方向に沿って伸び、相補的接触ピンと接触するための領域が設けられた少なくとも１つの接触プレートとを含んだハウジング備え、前記接触プレートは、前記ハウジングに接続するための接続部と自由端とを含み、折り曲げられる前に前記接触プレートが伸びている縦方向において切り抜かれ、かつ折り曲げられた後でカウンタープレートを形成しているばね要素を備えている。
【００１１】
より詳しくは、前記ばね要素と前記プレートとは、前記接続部の片側に形成されている。
【００１２】
従って、前記プレートと前記カウンタープレートとは、同一の金属シートの縦に伸びる方向において切り抜かれており、一方が他方の上に折り返されて、折り曲げられた後に前記ハウジング内に完全に封入されていることがわかる。
【００１３】
本発明の他の特徴および利点は、図を参照した本発明の実施形態の限定されない一例の後述の記載を読むことでより理解されるであろう。
【発明を実施するための最良の形態】
【００１４】
図１に示されたハウジングを伴った雌型電気端子は、相補的ピン４を受容するためにデザインされている。この端子は、図３に示された金属シート１から切り抜かれ、かつ折り曲げられており、ハウジングの長手軸Ａに沿って伸びた、少なくとも１つの接触プレート２を含んでいる。
【００１５】
その接触板は金属シートで製作されており、その金属シートは合金製で、良好な電気的特性および十分な剛性を有し、その板が相補的ピン４に有効な接触圧を保証するばね特性を備えている。これらの特性に適応する合金は、例えば、ニッケルめっきされた、またはされていない銅−ベリリウム合金である。
【００１６】
端子および特にハウジングは、金属シート１の連続的な折り曲げによって製造される。
【００１７】
ハウジングは、順番に連続的な折り曲げ操作を行うことによって形成され、その操作は図４Ａの折り曲げ操作から続いており、以下の順序によるものである。プレートおよびカウンタープレート（counter-plate）の両方の細長い板片が、形成される。細長い板片は、上壁１４を形成するようにデザインされ、プレートを支持している。細長い板片はハウジングの第１の横壁１５と、突起１２を支持するための下壁１３とのためにデザインされている。細長い板片は、ハウジングの第２の横壁１６の少なくとも一部を形成するようにデザインされている。
【００１８】
図４Ｂおよび図４Ｃに示されているように、金属シート１の折り曲げは、プレート２と、ばね要素７によって構成されたカウンタープレートとの湾曲を形成することによるものである。
【００１９】
次に、接続部５がハウジングの横壁１４上に横に折り曲げられ、図４Ｄに示されたように、その後ばね要素はプレート２上に留まる。
【００２０】
そのとき、プレートとカウンタープレートとは、壁１４によって保護されると共に、明確に画定されて、カウンタープレートは壁１４とプレート２との間に入り込む。
【００２１】
この実施形態によると、プレートとカウンタープレートとは、金属シートの外側の端部から切り抜かれて、折り曲げられた後に、ハウジング内に完全に封入される。
【００２２】
次いで折り曲げ工程の残りが下壁１３の周りで行われる。下壁１３はケーブルを接続するためのセグメント２１によって、長さ方向に伸ばされている。第１の折り曲げ操作によって、この下壁１３の一側において、プレートを支持している上壁１４を形成する。第２の折り曲げ操作によって第１の横壁１５と、この下壁１３の他側において、少なくとも１つの第２の横壁１６とを形成する。
【００２３】
電気端子を製造するために、プレートには相補的接触ピン４に接触するための領域３が設けられている。
【００２４】
記載された例の場合において、ピンは一度ハウジング内に案内され、接触プレートとハウジングの下壁１３に形成された突起１２との間で締め付けられている。この下壁は、この実施例においては従来のケーブルに接続するための部分２１によって伸ばされており、ここではさらなる説明は行わない。
【００２５】
接触プレート２は切り抜かれ、かつ折り曲げられて形成されているが、最終的に、ハウジングの下壁１３に対向して上壁１４の下に配置されていることがわかる。
【００２６】
ハウジングの長手軸方向において、後部から前部に向かって、プレートは１つの端部またはハウジングに接続するための部位５と、接触領域３と、自由端６とを含み、接触領域３は壁１４に接触するための端部と自由端６との間の、プレートの中間部内にある。
【００２７】
本発明による端子は、前記プレート２に平行な、ハウジングに接続するための端部８を含んだばね要素７を備え、実施例においては、ばね要素７はこのプレート２の接続のためのプレート２の接続部５に連結されており、その接続部５はハウジング、プレートに沿って伸びた中間部９、および相補的なピンと接触するようにデザインされたプレートの側部に対向して、プレートの側部に適合された自由端１０を伴っている。
【００２８】
このばね要素は、ハウジングの内部に向かってハウジングの長手軸Ａに垂直な方向においてプレートを圧縮するように形成されている。
【００２９】
本発明による雌型端子はフラップ１１も備え、そのフラップ１１はプレート２を支持するハウジングの壁１４の前面に伸びており、ハウジングの内部に向かって折り曲げられて、そのフラップが、前記壁１４に向かうように、プレートの自由端６上に接触されている。
【００３０】
記載された実施例によると、端子は突起１２に面した単一のプレート２を備え、突起１２は前記軸Ａに関してプレート２に対向したハウジングの壁１３に配置されている。
【００３１】
ハウジングは、曲げまたはねじりに対して良好な抵抗を示さなければならず、好適な実施形態によると、プレートを支持している壁１４は、特に図４Ｄに示されているような、少なくとも１つの折り返された外側部１８，１９を備え、壁１６のための相補的要素を形成している。
【００３２】
補足すると、ハウジングを閉塞するために、前記第２の横壁１６はタブ１７によって横方向に伸ばされており、そのタブ１７は、ハウジングの剛性を高めるために、プレートを支持している壁１４の２つの折り曲げられた外側部１８，１９の間に挿入される。
【００３３】
図１に戻って、ハウジングに接続するための端部近傍において、ばね要素７は、プレート２を支持しているハウジングの壁１４に対向して支持された、突起２０を支持している。
【００３４】
この突起２０は、ばね要素７の関節部を正確に固定することを可能にしており、従って、生産の誤差によって発生するこのばねの剛性におけるばらつきを制限している。
【００３５】
有利な点として、ばね要素７はプレートの曲率半径よりも小さい曲率変形に沿って湾曲しており、すくなくとも接触ピンがない状態において、ばね要素が自由端１０によってプレートに対して支持されており、どのような長さであっても任意の部分によらず、ばね要素の有効長は明確に決定されることが保証されていることを可能にしている。
【００３６】
さらに、接触圧を増加するために、接触ピン４と接触するための前記領域３は、寸法を減少されている。これを行うために、プレートの接触領域は、湾曲した接触領域を備えている。
【００３７】
実施例によると、ばね要素７の端部１０は、プレート２に接触されており、それは相補的接触ピン４の挿入方向Ｄに対して、前記接触領域の後部において接触されている。
【００３８】
実施例によると、プレートとばね要素とは、ハウジングの前部（ピンの受容部）に戻るように伸びており、ばねおよびプレート５，８の接触端は、そのばねとプレートとの後端であり、ばねおよびプレートの自由端６，１０は、ハウジングの前部に向かってハウジングの後部から伸びている。
【００３９】
ハウジングの形成は、図４Ａ〜４Ｄおよび図５Ａ〜５Ｃにより明確に示されている。
【００４０】
雌型端子の形成を以下に記載する。
【００４１】
はじめに、図４Ａに示されている細長い板を切り抜き、図４Ｂによると、プレートが曲げて形成され、金属板の平面から外れるように折り曲げられる。
【００４２】
この折り曲げは、プレートがプレート２を支持している壁１４からＣ１の距離だけ離れて分離されるように処理され、この距離は図５Ａの側面図に示されている。
【００４３】
図４Ｃおよび５Ａに示されているように、次にばね要素が曲げられて、１８０°折り曲げられ、プレートが距離Ｃ２だけ離される。距離Ｃ２は距離Ｃ１よりも大きい。
【００４４】
この位置において、ばね要素はプレートに圧力をかけており、ハウジングの内部にプレートを押している。
【００４５】
実施例に示された特別な場合において、プレート−ばね要素アセンブリは、図４Ｄに示されているように壁１４の下表面に折り曲げられ、プレートとばね要素とが図５Ｂに示されているように配置される。
【００４６】
最後に、図５Ｃによると、フラップ１１が、ばね要素を受容するプレートの面に対向した面のプレートの端部６に対向するように形成され、前記壁からＣ３の距離だけプレートが押し戻される。距離Ｃ３は距離Ｃ２よりも小さく、ばね要素が増加することによって圧力がプレートにかけられ、ハウジングの内部寸法および接触ピン４の案内のための軸Ｄに関して、ハウジング内のプレートの位置が正確であるように設定されている。
【００４７】
これらの操作の後、ハウジングの壁を形成する細長い板片は、順に曲げられ、次にタブ１７が曲げられてハウジングを閉じる。
【００４８】
従って、本発明による端子は、折り曲げ操作の必要な回数が少ないことにより、小さい寸法になっており、接触圧は、ばね要素から形成されたカウンタープレートの存在によって大きくなっている。そのカウンタープレートは、接触プレートを支持する壁とこの接触プレートとの間に閉じ込められており、折り曲げられたハウジングは、結合部を損傷させるような開口部や突起部を備えておらず、それによって、端子は自動車の接続アプリケーションの範囲内で配置される。
【００４９】
本発明は示された実施例に限定されるものではなく、特に２つの接触面を備えた端子に応用可能である。
【図面の簡単な説明】
【００５０】
【図１】相補的ピンに面した本発明による雌型端子の側面の断面図である。
【図２】図１の端子の４５°後方からの斜視図である。
【図３】図１の端子を形成するための金属板を切り抜いた一部である。
【図４Ａ】図１の端子の形成の連続的な段階の斜視図である。
【図４Ｂ】図１の端子の形成の連続的な段階の斜視図である。
【図４Ｃ】図１の端子の形成の連続的な段階の斜視図である。
【図４Ｄ】図１の端子の形成の連続的な段階の斜視図である。
【図５Ａ】図４Ｃおよび４Ｄの製造の段階、および本発明によるフラップを折り曲げる段階の側面図である。
【図５Ｂ】図４Ｃおよび４Ｄの製造の段階、および本発明によるフラップを折り曲げる段階の側面図である。
【図５Ｃ】図４Ｃおよび４Ｄの製造の段階、および本発明によるフラップを折り曲げる段階の側面図である。
【符号の説明】
【００５１】
１      金属シート
２      接触プレート
３      接触領域
４      ピン
５      接続部
６      自由端
７      ばね要素
１０    自由端
１１    フラップ
１２    突起
１３    下壁
１４    上壁
１５    第１の横壁
１６    第２の横壁
１７    タブ
１８，１９    外側部
２０    突起
【図１】
2008530744.tif 000003
【図２】
2008530744.tif 000004
【図３】
2008530744.tif 000005
【図４Ａ】
2008530744.tif 000006
【図４Ｂ】
2008530744.tif 000007
【図４Ｃ】
2008530744.tif 000008
【図４Ｄ】
2008530744.tif 000009
【図５Ａ】
2008530744.tif 000010
【図５Ｂ】
2008530744.tif 000011
【図５Ｃ】
2008530744.tif 000012
【国際調査報告】
2008530744.tif 000013
2008530744.tif 000014
2008530744.tif 000015
2008530744.tif 000016